(57)【要約】【課題】  携帯電話端末などの小型入力装置において、キーやディスプレイを見ることなく、指の触覚だけで行う入力操作と、マルチキーでの簡易な文字入力方法を実現する。【解決手段】  指の触覚により入力装置の上下方向が識別できるように、キーの上方向部分を三角錐状にする、そのキーを中心としてアナログ時計状に十以上のキーを設ける。マルチキー外周部分のリングキーを、中央キーより高くして、リングキーが押下されても、中央キーが同時に押下されないように、押下領域を一部重畳させる。そのスタジアムキーをマトリクス状に配置し、日本語の母音行と子音行をそれぞれのキーに割り当てる。  入力装置に方向上の基点となるベースキーを設ける。その一部を三角錐状に形成して、その指し示す方向上にキーを配置し、指の触覚だけでキー間の指移動ができるようにする。【選択図】図１
2008276713.tif 000002
【特許請求の範囲】
【請求項１】
指の触覚により入力装置の上下方向が識別できるように、キーの上方向部分もしくはパネル部分に、他の方向と区別される三角形または三角錐状の先端部を形成した事と、そのキー領域が指す示す上方向を基準にして、周囲を十二分割した延長線上に、アナログ時計状に十以上のキーが、連続して配置された事を特徴とする入力装置。
【請求項２】
マルチキー内の中央に位置するキーが、隣接する周囲キー「以下リングキーとする」よりも高さが２ミリメートル以上低い事と、その中心点からリングキーの外周までの距離が１５ミリメートル以下に形成された事と、そのマルチキー「以下スタジアムキーとする」が、マトリクス状または十以上つながりを持ちながら、配置された事を特徴とする入力装置。
【請求項３】
方向上の基点となるキー「以下ベースキーとする」において、その一部もしくは隣接したパネルに、三角形または三角錐状の先端部を形成した事と、その指し示す方向にキーを配置した事を特徴とする入力装置。
【発明の詳細な説明】
【技術分野】
【０００１】  本発明は携帯電話端末等の小型入力装置に設置する、キーの形状と配置方法に関するものである。
【背景技術】
【０００２】  従来の入力装置におけるキー配置は、マトリクス方式がほとんどであった。円形状に配置された考案もされているが、いずれもキーかディスプレイを見ながら、入力操作を行わなければならなかった。【０００３】  指の触覚によるキーの認識や、キー間にレールを形成した、指の誘導方法についての考案もされているが、フルキーボードなどと比較して、携帯電話端末などでは、キーが小さく間隔も狭いため、小型の入力装置には向かなかった。【０００４】  また携帯電話端末での仮名入力方法は、各数値キーに母音行および子音行が、配置されているため、キーを日本語の音節表示列数だけ押下しなければならなかった。【０００５】  各キーをグループとして平面配置し、母音行および子音行を割り当てた考案もされてはいるが、３×４のマトリクス状に配置された場合、キー押下時の指の接触面積が大きく、小型の入力装置には向かなかった。
【非特許文献】  特開平１１−２７２４０４
【非特許文献】  特開２０００−２２２１０５
【非特許文献】  特表２００３−５０１７６６
【非特許文献】  特表２００５−５２６３０３
【非特許文献】  特表２００５−５３０２３５
【非特許文献】  特開２００６−２９３９４５
【発明の開示】
【発明が解決しようとする課題】
【０００６】  携帯電話端末などの小型入力装置で、指の触覚だけで行う入力操作と、マルチキーでの簡易な日本語の入力方法を実現する。
【課題を解決するための手段】
【０００７】  入力装置１に設置したマルチキー２において、指の触覚だけで入力装置１に対する上下方向を識別できるよう、四方向キー３の上方向キー４上側部分を三角錐状にする。マルチキー２の中心点から上方向の延長線上を基準にして、十二分割したアナログ時計の文字盤位置に、連続した十以上の一般キー５を設ける。【０００８】  アナログ時計の「３、６、９、１２」の文字盤位置に設けた、一般キー５内の基準キー６の、一部またはキーに隣接した領域のパネルを、マルチキー２方向を指し示すように三角錐状にして、マルチキー２と基準キー６との移動を、指の触覚だけでできるようにする。【０００９】  スタジアムキー７において、四分割されたリングキー８が押下されても、中央キー９が同時に押下されないように、中央キー９をリングキー８より低くする。そのスタジアムキー７を、マトリクスまたは円形状に配置し、日本語音節表示の母音行と子音行を、それぞれのスタジアムキー７ごとに配置する。【００１０】  方向上の基点となるベースキー１０を、入力装置１上のマルチキーおよびスタジアムキーエリアとは別の位置に設ける。そのベースキー１０の一部またはそのキーに隣接したパネルを、三角錐または三角形状にする。その指し示す方向上に一般キー５またはキーエリアを配置する。
【発明の効果】
【００１１】  中心となるマルチキー２内の、四方向キー３における上方向キー４を異なる形状にしたため、指の触覚で入力装置１に対する上下方向を簡単に識別できる。そのため上方向キー４が指し示す延長線上の、０か１２のキーを基準にした、アナログ時計の文字盤位置に設置した数字キーが、指感覚だけで認識できる。【００１２】  マルチキー２からの、アナログ時計の文字盤位置に設置した数字などの一般キー５への指先移動が、上下左右の四方向キー４と、「３、６、９、１２」の基準キー６を、経由することにより簡単に誘導できる。従って携帯電話端末などの、比較的キー押下回数の少ない数字入力操作の場合は、キーやディスプレイを見ることなく正確な操作ができる。【００１３】  スタジアムキー７において、リングキー８が押下されても中央キー９が同時に押下されないように、中央キー９を隣接するリングキー８よりも低くしたため、リングキー８を押下する時に、中央キー９に対して指の接触面領域１１を重畳させることができる。従ってキー数を確保しながら入力装置を小型化する事ができる。【００１４】  スタジアムキー７を「３×４」のマトリクスまたは円形状にし、日本語音節表示の母音行と子音行を、スタジアムキー７ごとに連続して配置することにより、仮名文字等が平面配置される。そのため従来のように数字キーを日本語の音節表示列数だけ押下する必要がなく、入力操作が簡単である。【００１５】  入力装置の他の位置へ方向上の基点となるベースキー１０を設け、キーの一部またはキーに隣接したパネルを三角錐状にしたため、ベースキーが指し示す一般キー５、およびそのキーエリアまでの移動が指の触覚だけでできる。
【発明を実施するための最良の形態】
【００１６】  ディスプレイ部分を除いた、入力装置の上側エリア中心部に、円形のマルチキー２を設ける。四方向キー３の上側に位置する、上方向キー４の一部を三角錐状にする。他の三方向キーにも小さい三角錐を形成し、それぞれの方向を指し示すようにする。中央キー９と上方向キー４表面に、指の感触でキーを認識できるように凹凸を形成する。【００１７】  マルチキー２を中心として、上方向の延長線上を起点に十二等分した延長線上に、テレビのリモコンスイッチの場合は１から１２までのキーを、携帯電話端末の場合は少なくとも０から９までのキーを、アナログ時計の文字盤と同じ位置に配置する。【００１８】  マルチキー２内の中央キー９を起点にして指を誘導するために、四方向キー３を経由した先の「３、６、９、１２」の基準キー６を、他の一般キー５より大きくし、キーに隣接したパネルまたはキーの一部を、中央キー９方向に向け三角形状にする。【００１９】  ディスプレイ部分を除いた、入力装置の中央エリアに、円形状のスタジアムキー７を、「３×４」のマトリクス状に配置する。スタジアムキー７内の中央キー９の半径を、約７ミリメートルに、リングキー８の幅を約３ミリメートルに、全体の直径を２０ミリメートル以下に形成する。【００２０】  リングキー８は、各斜め上下方向に押下位置がくるように四分割する。中央キー９を入力装置１のパネルと同じ高さにし、リングキー８をそれより２ミリメートル以上高くする。
スタジアムキー７内の五個のキー釦に、日本語の音節表示における、母音行および各子音行をグループごとに配置する。【００２１】  ディスプレイ部分を除いた、入力装置の下側エリアに、他のキーとは性格および形状が異なる、方向上の基点となるベースキー１０を設置する。そのキーの一部またはそのキーに隣接したパネル１１を、三角錐または三角形にして表面に凹凸を形成し、先端部が指の感触で認識しやすいようにする。【００２２】  その三角錐の指し示す方向上に一般キー５を配置する。また指が移動しやすいように、キーの間隔を１５ミリメートル以下にする。【００２３】  携帯電話端末でのツータッチダイヤル機能を利用した、ブラインドタッチ発信方法についての説明をする。入力装置の上側エリアのマルチキー２を指で確認する、四方向キー３から基準キー６を経由して指を誘導し、目的の一般キー５を押下する。キーを正確に押していたか確認をするため、音声ガイダンスキー１２を押し音声確認をしてから、確定キーまたは電話キーを押して発信する。
【図面の簡単な説明】
【００２４】
【図１】  本発明の実施形態を示す入力装置の平面図
【図２】  スタジアムキーの立体図
【図３】  スタジアムキーのＡ−Ａ線断面図
【図４】  スタジアムキーの平面図及び指の接触面領域図
【符号の説明】
【００２５】  １  入力装置
２  マルチキー
３  四方向キー
４  上方向キー
５  一般キー
６  基準キー
７  スタジアムキー
８  リングキー
９  中央キー
１０  ベースキー
１１  指の接触面領域
１２  音声ガイダンスキー
【図１】
2008276713.tif 000003
【図２】
2008276713.tif 000004
【図３】
2008276713.tif 000005
【図４】
2008276713.tif 000006